(57)【特許請求の範囲】
【請求項１】
車両のスタータ（２０３）を動作させる方法であって、
物理的な量として、車両の周辺温度（Ｔ）又はエンジンルーム温度を含む温度と、前記スタータ（２０３）への供給電圧若しくは供給電流又は前記供給電圧若しくは前記供給電流に対応する抵抗（２０５）での電圧降下を含む電気的な量とを測定し、
当該測定された物理的な量に依存して、前記スタータ（２０３）のスタータ電流ＩＳを制限し又は制限せず、
前記スタータ電流ＩＳの制限時には、前記測定された物理的な量のうちの前記電気的な量が所定閾値に達してから所定時間後に当該制限を終了させる、方法において、
当該制限の終了後に、前記スタータ電流ＩＳが電流閾値ＩＴを下回ったことに依存して、前記制限を行うための制限モードに切り替える、
ことを特徴とする、車両のスタータ（２０３）を動作させる方法。
【請求項２】
測定された物理的な量が所定値を下回る又は所定値以下である場合には、前記スタータ電流ＩＳを制限しない、請求項１に記載の方法。
【請求項３】
前記物理的な量として前記供給電圧を検出し、当該供給電圧が７Ｖを下回る場合には、前記スタータ電流ＩＳを制限しない、請求項２に記載の方法。
【請求項４】
前記スタータ電流ＩＳを前記抵抗（２０５）によって制限する、請求項１から３までのいずれか１項に記載の方法。
【請求項５】
前記抵抗（２０５）に対して電気的に並列接続されているトランジスタ（２０７）が前記抵抗（２０５）をバイパスすることによって、前記スタータ電流ＩＳの前記制限を終了させる、請求項４に記載の方法。
【請求項６】
車両のスタータ（２０３）を動作させる装置（２０１）であって、
・スタータ電流ＩＳを制限する制限器（２０５）を有し、
・当該制限器（２０５）を電気的にバイパスするバイパス（２０７）を有し、前記バイパス（２０７）をバイパスするバイパスモードでは前記スタータ電流ＩＳは制限されず、前記バイパス（２０７）をバイパスしない非バイパスモードでは前記スタータ電流ＩＳは制限され、
・前記バイパス（２０７）を前記バイパスモード又は非バイパスモードに切り替える制御ユニット（２０９）を有し、当該制御ユニット（２０９）は、車両の周辺温度（Ｔ）又はエンジンルーム温度を含む温度と、前記スタータ（２０３）への供給電圧若しくは供給電流又は前記供給電圧若しくは前記供給電流に対応する電気抵抗（２０５）での電圧降下を含む電気的な量とを含む、測定された物理的な量に依存して前記バイパス（２０７）を前記バイパスモード又は非バイパスモードへと切り替えるように構成されており、当該制御ユニット（２０９）はさらに、前記スタータ電流ＩＳの制限時には、前記測定された物理的な量のうちの前記電気的な量が所定閾値に達してから所定時間後に当該制限を終了させるために前記バイパスモードに切り替えるように構成されている、装置において、
前記制御ユニットは、前記制限の終了後に、前記スタータ電流ＩＳが電流閾値ＩＴを下回ったことに依存して、前記制限を行うための前記非バイパスモードに切り替えるように構成されている
ことを特徴とする、車両のスタータ（２０３）を動作させる装置。
【請求項７】
測定された物理的な量が所定値を下回る又は所定値以下である場合には、前記制御ユニットは、前記スタータ電流ＩＳを制限しない、請求項６に記載の装置（２０１）。
【請求項８】
前記制御ユニットは、前記物理的な量として前記供給電圧を検出し、当該供給電圧が７Ｖを下回る場合には、前記制御ユニットは、前記スタータ電流ＩＳを制限しない、請求項７に記載の装置（２０１）。
【請求項９】
前記制限器（２０５）と前記バイパス（２０７）とは、電気的に並列接続されている、請求項６に記載の装置（２０１）。
【請求項１０】
前記制限器（２０５）は電気的な抵抗（２０５）を含み、及び／又は、前記バイパス（２０７）はトランジスタ（２０７）を含む、請求項６から９までのいずれか１項に記載の装置（２０１）。
【請求項１１】
前記物理的な量を検出するための検出器（４０３；４０５）が設けられている、請求項６から１０までのいずれか１項に記載の装置（２０１）。
【請求項１２】
前記所定時間の経過後に出力される時間信号を形成するタイマ（２０８）が設けられている、請求項６から１１までのいずれか１項に記載の装置（２０１）。
【請求項１３】
制御プログラムであって、
当該制御プログラムが制御ユニット（２０９）上で実行される際に、請求項１から５までのいずれか１項に記載の方法を実行するためのプログラムコードを有していることを特徴とする制御プログラム。
【発明の詳細な説明】
【技術分野】
【０００１】
本発明は、車両のスタータを動作させる方法及び装置に関する。本発明はさらに、制御プログラムに関する。
【０００２】
従来技術
例えば自動車又は家電製品において、電流をヒューズによって制限することが知られている。このようなヒューズは過電流の発生時に電流回路を遮断し、通常は過電流の原因が除去された後で交換されなければならない、又は、ユーザーによって復活されなければならない。
【０００３】
しかし、例えばスイッチオン時に極めて短い過電流ピークが生じ、電流回路の持続的な中断が許容されない電気的な負荷がある。これらは、例えば白熱電球、リレー又は電動モータである。上述した電流ピークに続いて、例えばバッテリ内のさらなる直列抵抗によって供給電圧は著しく落ち込む。
【０００４】
上述した特性の別の例は、車両内燃機関を始動させるスタータの動作中の、車両搭載電源網の搭載電源網電圧の落ち込みである。スタータの始動時には典型的には１０００Ａを超えるまでの電流が生じ、これによって、数ボルトの搭載電源網電圧の落ち込みが生じ得る。他の電気的な負荷は始動過程中のこの落ち込みによってオフ状態になり、搭載電源網電圧乃至供給電圧が許容領域に戻ると同時に、再始動されなければならない。
【０００５】
欧州特許出願第１０４１２７７Ｂ１号では例えば、電動モータの始動フェーズ中、電動モータの供給電圧が電気的な抵抗によって制限される。このような始動フェーズの間は、電動モータ内の電流が測定される。モータ起動の直後、電流経過特性は、極大値を通過する。この極大値は検出され、モータ内の電流が極大値発生時点後に再び所定の値を下回った後に、電気的な抵抗がトランジスタによってバイパスされる。これによって、モータは完全な供給電圧で動作させられる。
【０００６】
しかし、ここでの欠点は特に、このような制限が、モータの不利な動作環境（例えば低温時及び／又は低供給電圧時）においても実行されてしまう、ということである。特にこのような状況においては、モータの始動過程が遅れる、又は、モータが全く始動し始めない、ということが起こり得る。
【０００７】
発明の開示内容
従って、本発明の課題は、不利な周辺条件下、例えば低温時及び／又は低供給電圧時にも、モータを確実に始動させることができる、車両のスタータを動作させる方法及び装置を提供することである。
【０００８】
上述の課題は、独立請求項に記載されている構成要件によって解決される。本発明の有利な構成は、各従属請求項の構成要件である。
【０００９】
本発明では、車両のスタータを動作させる方法が提供される。第１のステップでは、物理的な量が測定される。これに続く第２のステップでは、この測定された物理的な量に依存して、スタータのスタータ電流を制限するか否かが判断される。例えば、測定された物理的な量が所定値よりも大きい又は小さい、乃至、所定値以下又は以上である場合には、スタータのスタータ電流は制限されない。有利には、上に挙げた条件のときにスタータのスタータ電流が制限されないようにすることもできる。特に、測定された物理的な量が所定の範囲内にない場合乃至所定の範囲内にある場合に、スタータのスタータ電流が制限される乃至制限されないようにすることもできる。
【００１０】
先行するステップにおいて、スタータのスタータ電流が制限されるべきであるとされた場合、スタータ電流の制限は所定の時間後に終了する。ここでは特に、この所定時間は事前に測定された一つ又は複数の物理的な量に基づいて設定乃至決定される。従って、この所定時間は特に、測定された物理的な量に依存し得る。
【００１１】
この方法によって特に、車両の実際の動作環境がモータの始動過程時乃至始動時に考慮される、という利点が得られる。特に、始動過程に対して悪い乃至不利な動作条件が存在している場合には、スタータ電流は制限されず、スタータは完全な供給電圧で動作させられる。従来技術では、実際の動作環境に依存せずに、始動過程中に常に制限が行われる。
【００１２】
さらに、この方法によって、特に以下の利点が得られる。即ち、スタータ電流が制限される場合には、所定時間後にスタータ電流の制限が終了することによって、この所定時間後にスタータが再び完全な供給電圧で動作させられて、最大の始動トルクがモータを始動させるために提供される、という利点である。
【００１３】
本発明ではさらに、車両のスタータを動作させる装置が提供される。本発明においては、この装置は、スタータ電流を制限する制限器と、この制限器を電気的にバイパスするためのバイパスとを含んでいる。従って、バイパス時には、スタータ電流は制限されない。この装置はさらに、バイパスをバイパスモード又は非バイパスモードに切り替える制御ユニットを含んでいる。バイパスがバイパスモードに切り替えられている場合、バイパスは制限器をバイパスするので、スタータ電流は制限されない。バイパスが非バイパスモードに切り替えられていると、バイパスは制限器をバイパスしない。従って、スタータ電流が制限される。有利には、制御ユニットは、一つ又は複数の金属酸化物半導体電解効果トランジスタ（ＭＯＳＦＥＴ）、特にパワーＭＯＳＦＥＴ、及び／又は、一つ又は複数の駆動制御回路を、特に、集積された駆動制御回路（駆動制御ＩＣ（集積回路）を含んでいる。
【００１４】
本発明においては、制御ユニットは、さらに次のように構成されている。即ち、測定された物理的な量に依存して、バイパスをバイパスモード又は非バイパスモードに切り替えるように構成されている。さらに、バイパスモードが所定時間後に終了するように、制御ユニットが構成されている。
【００１５】
方法に関連して述べた利点は、装置にも同様に当てはまる。
【００１６】
有利には、車両のスタータ電流回路において、装置は三つの接続端子乃至ピンを、装置の接続のために有している。ここでは、例えば第１の接続端子乃至ピンは、電気的なエネルギー源に接続されている。特に、この電気的なエネルギー源は、一つ又は複数のバッテリ、及び／又は、一つ又は複数のコンデンサを含んでいる。特に、電気的なエネルギー源は電気的なエネルギー、特に電圧を車両のスタータに供給する。例えば、第２の接続端子はスタータリレー又はスタータと接続される。有利には、第３の接続端子乃至ピンは、アースと接続されている、乃至、アース電位にある。これによって有利には、この装置を車両の既存のスタータ電流回路内に設けることができ、コストのかからない追加装備が可能になる。接続端子が三つなので、この装置は、三端子装置とも称される。さらに、装置を直接的にスタータ電流回路内に設けることができるので、これを自立してかつ独立して、スタータ電流回路内で動作させることができる。特に、さらなる外部制御機器が不必要になる。これによって、有利にはコストと重量が低くなる。車両内の別の制御機器との通信が必要である場合には、これは、例えば別の接続端子によって実現される。
【００１７】
有利な実施形態では、物理的な量は、温度及び／又は電気的な量である。有利には、電気的な量は、電圧及び／又は電流である。特にこの電圧乃至電流は、電気的なエネルギー源の供給電圧乃至供給電流である。特に温度は、車両の周辺温度及び／又はエンジンルーム温度である。従って、有利には、スタータの始動過程を車両の相応する実際の環境状況に適合させることができる。例えば温度が０℃を下回ると、有利にはスタータ電流は制限されない。例えば温度が０℃を上回ると、特に供給電圧が７Ｖ乃至１２Ｖの間にある場合には、スタータ電流が制限される。有利には、供給電圧の７Ｖ乃至１２Ｖの範囲において、スタータ電流が制限される。さらに有利には、供給電圧が１２Ｖを上回る場合には、温度とは無関係にスタータ電流が制限される。なぜならこのような場合には、高い供給電圧によって、スタータの確実な始動過程が実現されるからである。有利には、供給電圧が７Ｖを下回る場合には、温度とは無関係にスタータ電流は制限されない。これによって有利には、供給電圧が低い場合でも、モータを確実に始動させることができる。
【００１８】
有利には、物理的な量を検出する検出器が設けられている。特に、検出器は電圧検出器及び／又は電流検出器を含んでいる。特に、検出器は一つ又は複数の温度センサを含んでいる。例えば、検出器は制御ユニット内に組み込まれる。有利には、検出器を制御ユニット外に配置することもでき、特に、相応の検出器信号を伝達するために制御ユニットと接続することもできる。特に、制御ユニット内に検出器を組み込むことによって、装置が特にコンパクトになるという利点が生じる。検出器を制御ユニット外に設ける場合には、検出器を有利には特に容易かつ低コストに取り替えることができる。
【００１９】
別の例示的な実施形態では、電気的なスタータ電流回路の別の電気的な量の低下が検出される。ここで、この低下の検出時点は、所定時間の開始時点に対応する。即ち、例えば、制限器での電圧降下が検出される。制限器で下降する電圧が所定の閾値を下回った時点から、スタータ電流が制限される所定時間が経過し始める。有利にはこのために、時間信号を形成するタイマが設けられている。このタイマは、特に制御ユニット内に組み込まれているが、例えば制御ユニット外に配置することもできる。即ち、例えば制限器での電圧降下が所定の閾値を下回ると直ちに、制御ユニットはタイマを起動する。タイマは所定時間後に、時間信号を制御ユニットに出力する。これによって時間信号は次に、バイパスを非バイパスモードからバイパスモードへと切り替える。従って、スタータ電流の制限は、所定時間後に終了する。
【００２０】
別の実施形態では、スタータ電流は抵抗によって制限される。特に制限器は、一つ又は複数の電気的な抵抗を含んでいる。有利には制限器は、可変に調整可能な抵抗、例えばポテンショメータを含んでいる。これによって有利には、スタータ電流の制限を、異なる車両に対する異なるスタータに適合させることができる。
【００２１】
有利には、抵抗に対して電気的に並列に接続されているトランジスタ、特にパワートランジスタが抵抗をバイパスすることによって、スタータ電流の制限が終了する。有利にはトランジスタは、電解効果トランジスタ（ＦＥＴ）又は金属酸化膜半導体電解効果トランジスタ（ＭＯＳＦＥＴ）である。これによって特に、有利には、バイパスモードから非バイパスモードへの特に迅速な切り替え、及び、非バイパスモードからバイパスモードへの特に迅速な切り替えが実現される。
【００２２】
有利には、電流を制限する装置が、一つ又は複数の電気的な負荷において使用される。電気的な負荷は、例えば電動モータ及び／又はスタータを含んでいる。
【００２３】
本発明においてはさらに、制御プログラムが制御ユニット上で実行される場合に、上記の方法を実行するプログラムコードを有する制御プログラムが提供される。
【００２４】
本発明を以下に、有利な実施例に基づいて、図面を参照してより詳細に説明する。
【図面の簡単な説明】
【００２５】
【図１】搭載電源網電圧およびスタータ電流の時間的な経過特性
【図２】車両のスタータを動作させるための装置
【図３】図２に示されている装置の詳細図
【図４】車両のスタータを動作させるための別の装置
【図５】例えば、どのような動作条件下でスタータ電流が制限されるのかを示すグラフ
【図６】図３に示された装置の個々の部品の、複数の電気的な量および動作状態の時間的な経過
【図７】スタータが本発明による方法によって動作される場合の、搭載電源網電圧およびスタータ電流の時間的な経過特性
【図８】車両のスタータを動作させるための方法の概略的なフローチャート。
【００２６】
以下において、同じ特徴には同じ参照番号が使用されている。
【００２７】
図１は、搭載電源網電圧及びスタータ電流の時間的な経過特性を示している。横軸には、時間ｔが任意単位で記載されている。左側の縦軸には、搭載電源網電圧Ｕがボルトで示されている。右側の縦軸には、スタータ電流Ｉがアンペアで記載されている。搭載電源網電圧の時間的な経過特性は、参照番号１０１で示されている。スタータ電流の時間的な経過特性は、参照番号１０３で示されている。スタータ電流が、スタータのスイッチオン時に約１０００Ａまで上昇することが見て取れる。同時に搭載電源網電圧は、約１２．５Ｖから約７Ｖに降下する。このような電圧降下によって特に、搭載電源網電圧の電気的な負荷は、始動過程の間にオフ状態になり、搭載電源網電圧が再び許容範囲になると同時に、再始動されなければならない。
【００２８】
車両（図示されていない）のスタータ２０３を動作させる、図２及び図３に示された装置２０１によって特に、図１に示された電圧降下を制限することが可能になる。図３は、装置２０１の詳細図を示している。装置２０１は、電気的な抵抗２０５を有している。抵抗２０５に対して並列に、トランジスタ２０７が接続されている。さらに、装置２０１は、制御ユニット２０９を含んでいる。これは、抵抗２０５とトランジスタ２０７とによって形成されたスイッチング回路と電気的に接続されている。さらに、装置２０１は、三つの接続端子２１１ａ、２１１ｂ及び２１１ｃを有している。接続端子２１１ａ、２１１ｂ及び２１１ｃは、ピンとも称される。接続端子２１１ａによって、装置２０１はバッテリ２１３に接続される。バッテリ２１３と接続端子２１１ａとの間には、さらにインダクタンス２１５が設けられている。接続端子２１１ｂによって、装置２０１はスタータ２０３に接続されている。スタータ２０３と接続端子２１１ｂとの間には、さらにスタータリレー２１７と別のインダクタンス２１９とが直列接続して設けられている。第３の接続端子２１１ｃによって、装置２０１はアースと接続されている。三つの接続端子乃至ピン２１１ａ、ｂ、ｃによって、特に有利には、装置２０１を既存のスタータ電流回路内に、大きなコスト無く設けることができる。従って、低コストの追加装備が可能になる。三つのピン２１１ａ、ｂ、ｃが設けられているので、装置２０１は、三端子装置とも称される。
【００２９】
図２及び図３に示された実施例では、電気的な抵抗２０５は、スタータ電流を制限するための制限器を形成している。トランジスタ２０７は、この制限器を電気的にバイパスするバイパスを形成する。従って、バイパス時にスタータ電流は制限されない。制御ユニット２０９自体は特に、トランジスタ２０７をバイパスモードに又は非バイパスモードに切り替えることができる。
【００３０】
さらに、制御ユニット２０９内には、時間信号を形成するタイマ２０８が組み込まれている。特に、スタータ２０３が始動されて、スタータ電流が制限されると、カウンタ２０８が起動される。所定時間の後、カウンタ２０８は時間信号を形成し、この時間信号に制御ユニット２０９が応答する。これは、制御ユニット２０９がトランジスタ２０７をバイパスモードに切り替えることによって行われる。
【００３１】
例えば、ユーザーの始動要求が存在することによって、スタータリレー２１７が閉じられると、バッテリ２１３によって供給されたバッテリ電流ＩＢが流れる。トランジスタ２０７が非バイパスモードにある場合、バッテリ電流ＩＢが、電気的な抵抗２０５、スタータリレー２１７及び別のインダクタンス２１９を通って、スタータ２０３まで流れる。接続端子２１１ｂの後では、相応して流れるこの電流はスタータ電流ＩＳとも称される。トランジスタ２０７がバイパスモードにある場合、バッテリ電流ＩＢはトランジスタ２０７を介して、スタータ２０３へと流れる。従って、この場合には、スタータ電流ＩＳは制限されない。
【００３２】
図４は、車両のスタータ２０３を動作させる装置４０１の別の有利な実施形態の詳細図を示している。装置４０１の制御ユニット２０９内にはさらに、電圧検出器４０３と温度センサ４０５とが組み込まれている。電圧検出器４０３は特に、バッテリ電圧２１３を測定する。温度センサ４０５は特に、周辺温度及び／又は車両のエンジンルーム温度を測定する。これら二つの測定された物理的な量は特に、スタータのスタータ電流が制限されるか否かの判断時に考慮される。この判断に依存して、制御ユニット２０９はトランジスタ２０７を対応してバイパスモード乃至非バイパスモードに切り替える。
【００３３】
図５は、始動過程時においてスタータ電流がスタータの始動時に既に直ちに制限される領域を概略的に表すグラフを示している。縦軸には、例えばバッテリ２１３のバッテリ電圧Ｕがボルトで示されている。ここで、このバッテリ電圧は、供給電圧とも称される。横軸には、車両の周辺温度Ｔが摂氏で示されている。供給電圧も周辺温度もハッチング領域５０１内にある場合には、始動過程時に先ずスタータ２０３のスタータ電流が制限され、次に、特に後の時点でこの制限が終了される。ハッチング領域５０１は、０℃以上の周辺温度と、７Ｖと１２Ｖとの間の電圧値とを有している。ここで、７Ｖ及び１２Ｖは、ハッチング領域５０１に属している。供給電圧及び／又は周辺温度がハッチング領域５０１外にある場合、スタータ電流ＩＳはスタータ２０３の始動時にも直ちには制限されない。これは例えば、トランジスタ２０７がバイパスモードに切り替えられることによって行われる。従って、電気抵抗２０５がバイパスされる。これによって有利には、車両の実際の動作パラメータが、最初のスタータ電流制限に関する判断時に考慮される。１２Ｖよりも高い供給電圧は、バッテリが充分に充電されていることの指標である。このようなバッテリは、電流ピークの発生時にも、充分に高い供給電圧を搭載電源網の電気的な負荷に対して供給することができる。７Ｖよりも低い供給電圧を有する古いバッテリ又は弱いバッテリの場合も考慮され、ここでも、スタータ電流制限は行われない。なぜなら、そうでない場合には例えば、制限された電流は、スタータを確実に始動させるのに充分ではなくなる、乃至、スタータの始動過程が著しく長引くからである。
【００３４】
図６は、幾つかの始動過程の間の物理的な量及びスタータ電流回路の部品のいくつかの動作状態の時間的な経過特性を示している。参照番号６０１が付されている上方のグラフは、時間ｔに亘る、スタータリレー２１７の状態を示している。スタータリレー２１７は、開放状態と閉鎖状態との間で切り替えられる。
【００３５】
参照番号６０３が付されているグラフは、スタータ電流ＩＳの時間的な経過特性を示している。
【００３６】
参照番号６０５が付されているグラフは、いつ抵抗２０５がバイパスされているのか乃至バイパスされていないのかを示している。
【００３７】
参照番号６０７が付されているグラフは、いつトランジスタ２０７が非バイパスモード（即ちトランジスタ２０７が開放されている）にあるのか乃至バイパスモード（即ちトランジスタ２０７が閉じられている）にあるのかを示している。
【００３８】
フェーズＩでは、抵抗２０５はバイパスされていない。時点ｔ１では、スタータリレー２１７が閉じられている。抵抗２０５はバイパスされていないので、スタータ電流ＩＳは制限される。従って、トランジスタ２０７は、この場合においては非バイパスモードにある。
【００３９】
給電線内の電流は、ここで、電気抵抗２０５における電圧降下を生じさせる。これが閾値ＩＴに達すると、カウンタ２０８が起動され、フェーズＩＩが開始する。フェーズＩＩの間、即ち、持続時間ｔ２の間、スタータ電流ＩＳはさらに制限される。所定時間ｔ２の後、カウンタ２０８は時間信号を出力する。これに続いて制御ユニット２０９は、トランジスタ２０７をバイパスモードに切り替える（フェーズＩＩＩを参照）。即ち、抵抗２０５は、トランジスタ２０７によってバイパスされる。これによって、スタータ電流ＩＳが制限されなくなる。
【００４０】
フェーズＩＶへの移行時には、スタータ電流ＩＳは、再び閾値ＩＴを下回る。制御ユニット２０９は、トランジスタ２０７を再び非バイパスモードへと戻す。装置４０１は、いわゆる静止状態へと戻る。
【００４１】
図７は、電流制限がされていない公知の始動装置における搭載電源網電圧及びスタータ電流の時間的な経過特性、並びに、装置２０１乃至４０１における搭載電源網電圧及びスタータ電流の時間的な経過特性を示している。横軸は、時間ｔを任意単位で示している。左側の縦軸には、搭載電源網電圧ＵがＶで示されている。右側の縦軸には、スタータ電流ＩがＡで示されている。電流制限がされていない公知の始動装置内における搭載電源網電圧は、参照番号７０１で示されている。対応するスタータ電流の時間的な経過特性は、参照番号７０３で示されている。本発明による装置２０１乃至４０１内での搭載電源網電圧の時間的な経過特性は、参照番号７０５で示されている。本発明による装置２０１乃至４０１内でのスタータ電流の時間的な経過特性は、参照番号７０７によって示されている。本発明に係る装置２０１乃至４０１に基づいて、スタータ電流が約７００Ａに制限されることが明確に見て取れる。従って、従来技術においてはさらに７Ｖまで下降するが、搭載電源網電圧の電圧降下は約９Ｖに制限される。
【００４２】
図８は、車両のスタータを動作させる方法の実施形態のフローチャートを示している。ステップ８０１では、物理的な量が測定される。例えばこの物理的な量は、車両の周辺温度及び／又はバッテリ供給電圧である。次にステップ８０３では、ステップ８０１において測定された物理的な量に依存して、スタータのスタータ電流が制限されるか否かが判断される。ステップ８０３において、スタータ電流が制限されないと判断されると、例えばステップ８０５において、制御ユニット２０９はトランジスタ２０７をバイパスモードへと切り替える。ステップ８０３において、スタータ電流が制限されると判断されると、ステップ８０７においてスタータ電流が制限される。これは特に、トランジスタ２０７が非バイパスモードへと切り替えられることによって行われる。所定時間が経過した後、ステップ８０９において、スタータ電流の制限が終了する。これは特に、制御ユニット２０９がトランジスタ２０７をバイパスモードへと切り替えることによって行われる。従って、トランジスタ２０７は、抵抗２０５を電気的にバイパスする。これによってスタータ電流がそれ以上制限されなくなる。
【００４３】
本発明は、特に、さらに以下の利点を提供する。
・装置２０１乃至４０１は自立かつ独立して、電気的な負荷の給電線内で動作する。ここでは、別の制御機器へのインタフェースは不必要である。
・本発明によって特に、製造コストが低減される。
・特に有利には、装置を既存のスタータ電流回路内に構築することもできる。
・例えば供給電圧が低い又は温度が低い場合には、車両のモータを始動させるための全供給電圧が限界領域において供給される。
・供給電圧の落ち込みの他に、例えば給電線内の電流のクロックによって生じ得る電磁ノイズが最小化される。本発明によって、さらに有利には、例えば搭載電源網の安定化措置を低減させることができる。バッファバッテリ、バッファコンデンサ又は後置接続されているＤＣＤＣ変換器が不要になる。これによって、さらに有利には、重量及びコストが低減される。
・本発明によって、特に電気機械、例えばスタータの寿命が、始動時に生じるトルクを低減させることにより長くなる。
・電気機械をより軽量かつ低コストに製造することができる。従って、例えば壁厚を低減させることができる。これによって、有利には、さらなる重量低減及びコスト節約が実現される。
・例えば自動車内のスタータバッテリによる供給電圧が節約して使用され、スタータバッテリの寿命が長くなる。
・騒音及び振動が低減され、特にこれによって、快適性も向上する。
・始動過程が改善される。従って、例えば有利には、電気機械によって始動される内燃機関の始動持続時間が低減される。
・本願に記載した装置は、特にコスト、構造空間及び重量を最小限にする。
・本願に記載した装置はさらに、高度に統合された、自立的にスタータで動作する解決策を実現することができる。これは、有利な追加解決策として使用される。
・特に、三端子接続を用いた構造によって（ここでは、組み込まれている抵抗を電圧が超過することによって起動乃至始動される）、装置が持続的に給電されるにも拘わらず、ほぼ０の、装置の待機電流が実現される。
【００４４】
本発明においては、装置は電気的な負荷での電流制限にも使用される。即ち、特に本発明においては、電気的な負荷の始動電流を制限するための方法及び装置が提供される。スタータの場合には、この始動電流はスタータ電流に相応する。
【図１】
0005595592.tif 000002
【図２】
0005595592.tif 000003
【図３】
0005595592.tif 000004
【図４】
0005595592.tif 000005
【図５】
0005595592.tif 000006
【図６】
0005595592.tif 000007
【図７】
0005595592.tif 000008
【図８】
0005595592.tif 000009